(57)【要約】【課題】  ユーザの利便性を向上させること。【解決手段】  携帯情報端末５は、車両機器を遠隔操作する為の操作項目を画面に表示させる画面表示手段５ａと、画面表示手段５ａにより画面に表示された操作項目に対して行われた指示操作に基づいて、操作項目に対応する車両機器の操作信号を、情報センタ７を介して車両へ送信する通信制御手段５ｄと、を備えている。また、通信制御手段５ｄは、所定の組合せの操作項目を一括で実行させる操作信号を、情報センタ７を介して車両へ送信する。【選択図】  図１
2006352375.tif 000002
【特許請求の範囲】
【請求項１】
車両機器を遠隔操作する為の操作項目を画面に表示させる画面表示手段と、
前記画面表示手段により前記画面に表示された前記操作項目に対して行われた指示操作に基づいて、前記操作項目に対応する前記車両機器の操作信号を、車両へ送信する通信制御手段と、を備える携帯情報端末であって、
前記通信制御手段は、所定の組合せの前記操作項目を一括で実行させる前記操作信号を、前記車両へ送信することを特徴とする携帯情報端末。
【請求項２】
請求項１記載の携帯情報端末であって、
前記画面表示手段は、前記画面に前記所定の組合せの操作項目を一括で選択できる選択画面を表示させることを特徴とする携帯情報端末。
【請求項３】
請求項１又は２記載の携帯情報端末であって、
前記車両のバザードランプが点灯状態にあり、かつ前記通信制御手段による前記所定の組合せの操作項目を一括で実行させる前記指示操作がなされたとき、前記画面表示手段は前記画面に前記車両のハザードランプが点灯している旨を表示させることを特徴とする携帯情報端末。
【請求項４】
請求項１乃至３のうちいずれか１項記載の携帯情報端末であって、
前記車両のバザードランプが点灯状態にあり、かつ前記通信制御手段による前記所定の組合せの操作項目を一括で実行させる前記指示操作がなされたとき、前記画面表示手段は前記画面に前記ハザードランプを消灯させるか否かを選択させる選択画面を表示させることを特徴とする携帯情報端末。
【請求項５】
請求項１乃至４のうちいずれか１項記載の携帯情報端末であって、
前記通信制御手段により一括で実行される前記所定の組合せの操作項目は、設定変更可能であることを特徴とする携帯情報端末。
【請求項６】
請求項１乃至５のうちいずれか１項記載の携帯情報端末であって、
前記車両周辺の環境情報を検出する環境情報検出手段を更に備え、
前記画面上において前記指示操作がなされたとき、前記画面表示手段は前記環境情報検出手段により検出された前記環境情報に基づいて、注意喚起の前記画面を表示させることを特徴とする携帯情報端末。
【請求項７】
請求項６記載の携帯情報端末であって、
前記環境情報は、天候情報であることを特徴とする携帯情報端末。
【請求項８】
請求項１乃至７のうちいずれか１項記載の携帯情報端末であって、
前記所定の組合せの操作項目は、ウィンドウの開閉、スライドルーフの開閉、ドアのロック／アンロック、車両ランプの点灯／消灯、トランクの開閉、バックドアの開閉、空調装置のオン／オフ、及びエンジンの始動／停止、からなる群のうちいずれか少なくとも一つから選択されてなることを特徴とする携帯情報端末。
【請求項９】
車両機器の操作信号を送信する携帯情報端末と、
前記車両に搭載され、前記携帯情報端末から情報センタを介して送信された前記操作信号に基づいて、前記車両機器の操作を実行する遠隔操作装置と、
を備える遠隔操作システムであって、
前記携帯情報端末は、所定の組合せの操作項目を一括で実行させる前記操作信号を、前記情報センタを介して前記遠隔操作装置に送信することを特徴とする遠隔操作システム。
【請求項１０】
車両機器を携帯情報端末によって遠隔操作する遠隔操作方法であって、
所定の組合せの操作項目を一括で選択できる選択画面を表示させる画面表示ステップと、
前記画面表示ステップにおいて表示された前記選択画面に対する指示操作に基づいて、
前記所定の組合せの操作項目を実行させる操作信号を、情報センタを介して前記車両に送信する遠隔操作ステップと、を備えることを特徴とする遠隔操作方法。
【発明の詳細な説明】
【技術分野】
【０００１】
本発明は、車両機器を遠隔的に操作する携帯情報端末、遠隔操作システム、及び遠隔操作方法に関する。
【背景技術】
【０００２】
従来、車両機器を通信機により遠隔操作可能な駐車状態監視装置が知られている（例えば、特許文献１参照）。
【０００３】
また、ユーザにより必要とされるリモート操作項目が予め設定できることが開示された車両機能の設定方法が知られている（例えば、特許文献２参照）。
【特許文献１】特開２００４−１０２９３９号公報
【特許文献２】特開２００２−５２９９２号公報
【発明の開示】
【発明が解決しようとする課題】
【０００４】
しかしながら、上記特許文献１および特許文献２に示す従来技術においては、複数の車両機器の遠隔操作を行う場合に、通信機上で個別に遠隔操作の設定を夫々行う必要があり、ユーザの利便性に欠けることが懸念される。
【０００５】
本発明はこのような課題を解決するためのものであり、ユーザの利便性を向上させることを主たる目的とする。
【課題を解決するための手段】
【０００６】
上記目的は、請求項１に記載する如く、
車両機器を遠隔操作する為の操作項目を画面に表示させる画面表示手段と、
前記画面表示手段により前記画面に表示された前記操作項目に対して行われた指示操作に基づいて、前記操作項目に対応する前記車両機器の操作信号を、車両へ送信する通信制御手段と、を備える携帯情報端末であって、
前記通信制御手段は、所定の組合せの前記操作項目を一括で実行させる前記操作信号を、前記車両へ送信することを特徴とする携帯情報端末によって達成される。
【０００７】
本発明において、通信制御手段は所定の組合せの操作項目を一括で実行させる操作信号を、車両へ送信する。これにより、ユーザにより操作が実行されると予測できる所定の組合せの操作項目を、一括で実行できる。したがって、ユーザは単一の操作のみで、複数の車両機器の遠隔操作を簡易に実行させることが可能となる。すなわち、ユーザの操作負担が大幅に軽減されることから、利便性が向上する。なお、本発明において、携帯情報端末は操作信号を情報センタを介して車両に送信してもよい。
【０００８】
この場合、請求項２に記載する如く、請求項１記載の携帯情報端末であって、
前記画面表示手段は、前記画面に前記所定の組合せの操作項目を一括で選択できる選択画面を表示させることとしてもよい。この選択画面により、ユーザは所定の組合せの操作項目を簡易に、一括操作できる。
【０００９】
また、請求項３に記載する如く、請求項１又は２記載の携帯情報端末であって、
前記車両のバザードランプが点灯状態にあり、かつ前記通信制御手段による前記所定の組合せの操作項目を一括で実行させる前記指示操作がなされたとき、前記画面表示手段は前記画面に前記車両のハザードランプが点灯している旨を表示させてもよい。
【００１０】
車両停止状態において、ハザードランプを意図的に点灯させていることがある。この為、上記一括で実行させる指示操作によってハザードランプが消灯されると、当該操作がユーザの意図に反することがある。したがって、所定の組合せの操作項目には、例えばハザードランプの消灯操作が含まれないように構成され、ユーザの意図に反する操作実行が防止されている。また、このように所定の組合せの操作項目にハザードランプの消灯操作を含まれないように構成した場合、一括で実行させる指示操作によってバザードランプの消灯は行われない旨（ハザードランプが点灯している旨）を表示することで、ユーザに対し注意喚起を行うことができる。
【００１１】
さらに、請求項４に記載する如く、請求項１乃至３のうちいずれか１項記載の携帯情報端末であって、
前記車両のバザードランプが点灯状態にあり、かつ前記通信制御手段による前記所定の組合せの操作項目を一括で実行させる前記指示操作がなされたとき、前記画面表示手段は前記画面に前記ハザードランプを消灯させるか否かを選択させる選択画面を表示させることとしてもよい。例えば、所定の組合せの操作項目にハザードランプを消灯させる操作項目が含まれない場合でも、この選択画面によりユーザはハザードランプを消灯させることができる。
【００１２】
なお、請求項５に記載する如く、請求項１乃至４のうちいずれか１項記載の携帯情報端末であって、
前記通信制御手段により一括で実行される前記所定の組合せの操作項目は、設定変更可能であることとしてもよい。ユーザのニーズに応じて、所定の組合せの操作項目を新規設定及び／又は変更できれば、利便性がより向上する。
【００１３】
請求項６に記載する如く、請求項１乃至５のうちいずれか１項記載の携帯情報端末であって、
前記車両周辺の環境情報を検出する環境情報検出手段を更に備え、
前記画面上において前記指示操作がなされたとき、前記画面表示手段は前記環境情報検出手段により検出された前記環境情報に基づいて、注意喚起の前記画面を表示させることとしてもよい。これにより、ユーザは車両周辺の環境情報に応じて、車両の遠隔操作を行うことができ、利便性が向上する。
【００１４】
この場合、請求項７に記載する如く、請求項６記載の携帯情報端末であって、
前記環境情報は、天候情報であってもよい。これにより、ユーザは天候情報を考慮して、車両の遠隔操作を行うことができる。
【００１５】
また、請求項８に記載する如く、請求項１乃至７のうちいずれか１項記載の携帯情報端末であって、
前記所定の組合せの操作項目は、ウィンドウの開閉、スライドルーフの開閉、ドアのロック／アンロック、車両ランプの点灯／消灯、トランクの開閉、バックドアの開閉、空調装置のオン／オフ、及びエンジンの始動／停止、からなる群のうちいずれか少なくとも一つから選択されてなることとしてもよい。
【００１６】
さらに、上記目的は、請求項９に記載する如く、
車両機器の操作信号を送信する携帯情報端末と、
前記車両に搭載され、前記携帯情報端末から情報センタを介して送信された前記操作信号に基づいて、前記車両機器の操作を実行する遠隔操作装置と、
を備える遠隔操作システムであって、
前記携帯情報端末は、所定の組合せの操作項目を一括で実行させる前記操作信号を、前記情報センタを介して前記遠隔操作装置に送信することを特徴とする遠隔操作システムによっても達成される。
【００１７】
上記目的は、請求項１０に記載する如く、
車両機器を携帯情報端末によって遠隔操作する遠隔操作方法であって、
所定の組合せの操作項目を一括で選択できる選択画面を表示させる画面表示ステップと、
前記画面表示ステップにおいて表示された前記選択画面に対する指示操作に基づいて、
前記所定の組合せの操作項目を実行させる操作信号を、情報センタを介して前記車両に送信する遠隔操作ステップと、を備えることを特徴とする遠隔操作方法によっても達成される。
【発明の効果】
【００１８】
本発明によれば、ユーザの利便性を向上させることができる。
【発明を実施するための最良の形態】
【００１９】
以下、本発明を実施するための最良の形態について、添付図面を参照しながら実施例を挙げて説明する。なお、車両用の遠隔操作装置、携帯情報端末、情報センタの基本概念、主要なハードウェア構成、作動原理、及び基本的な制御手法等については当業者には既知であるため、詳しい説明を省略する。
【００２０】
図１は、本発明の一実施例である遠隔操作システムの構成図を示す。本実施例の遠隔操作システム１は、車両に搭載される遠隔操作装置３と、その車両の運転者、所有者等の正規のユーザに携帯、所持される携帯電話、パソコン（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）等の携帯情報端末５とを備えている。また、遠隔操作装置３と携帯情報端末５との間には、情報を管理する情報センタ７が介在している。
【００２１】
本実施例の遠隔操作システム１は、ユーザが車両から降車した後又は車両に乗車する前等に、車両においてユーザが直接的に操作可能な車両機器を、ユーザの所持する携帯情報端末５から情報センタ７を介して、所定の操作信号を遠隔操作装置３へ送信することで、遠隔的に駆動操作する。
【００２２】
上述した車両機器の遠隔的な操作として、例えばウィンドウの開閉、スライドルーフの開閉、トランクの開閉、車両ドアの開閉、車両ドアのロック／アンロック、エアコン（空調装置）のオン／オフ又は自動温度設定（又はユーザの設定した温度設定も含む）、エンジンの始動／停止、ターンシグナルランプ、ハザードランプ、ヘッドランプ、フォグランプ、スモールランプ、ルームランプ等の車両ランプの点灯（点灯には、点滅も含むものとする。）／消灯、が挙げられる。
【００２３】
以下、上記の車両機器を、ユーザが車両において直接的に操作することをローカル操作（車両と車両キーとの無線通信によるワイヤレス操作を含む）と称す。また、本実施例の遠隔操作システム１において、情報センタ７を介して遠隔的に操作することをリモート操作と称す。
【００２４】
遠隔操作装置３は、所定の通信ネットワークを介して情報センタ７と無線通信を行うことが可能なデータ通信モジュール（Ｄａｔａ  Ｃｏｍｍｕｎｉｃａｔｉｏｎ  Ｍｏｄｕｌｅ；以下、ＤＣＭと称す。）３ａを備えている。ＤＣＭ３ａには、コンピュータを主体に構成されたマスタ電子制御ユニット（以下、マスタＥＣＵと称す）３ｂが通信線を介して接続されている。
【００２５】
ＤＣＭ３ａはデータ通信アンテナ３ｃを有し、遠隔操作装置３の各種情報をデータ通信アンテナ３ｃから通信ネットワークを介して情報センタ７へ送信する機能を有している。また、ＤＣＭ３ａは、情報センタ７から通信ネットワークを介して送信される各種情報をデータ通信アンテナ３ｃで受信する機能を有している。
【００２６】
マスタＥＣＵ３ｂは、ＲＯＭ等の記憶部に予め格納されたソフトウェアプログラムに従って動作し、ＤＣＭ３ａとの間で送信データ及び受信データの授受を行う。マスタＥＣＵ３ｂは、自車両の電話番号を含む識別情報及び情報センタ７の電話番号等を格納する記憶部を有している。
【００２７】
遠隔操作装置３は、上述したマスタＥＣＵ３ｂに接続する複数のスレーブＥＣＵ３ｄを備えている。これらスレーブＥＣＵ３ｄは、ユーザによるローカル操作が可能な車両機器を制御するユニットである。マスタＥＣＵ３ｂは、各スレーブＥＣＵ３ｄに所定の処理（具体的には、車両ドアのロック／アンロック、ウィンドウの開閉等のリモート操作を要求する処理）を実行させる。
【００２８】
スレーブＥＣＵ３ｄは、例えば図１に示す如く、マスタＥＣＵ３ｂにボデー系バスを介して接続し、相互にボデー系バスを用いて多重通信を行うことが可能である。
【００２９】
スレーブＥＣＵ３ｄは、ユーザにより車両キーがキーシリンダに挿入されて操作され、マスタＥＣＵ３ｂからの操作信号が受信された場合に、車両ドアのロックポジションをロック（施錠）とアンロック（解錠）との間で切り替える制御を行う。また、ユーザにより車室内に設けられた開閉スイッチが操作された場合に、又はマスタＥＣＵ３ｂからのリモート操作要求がなされた場合に、車両ドアのウィンドウを開閉する制御を行う。
【００３０】
携帯情報端末５は、液晶、有機ＥＬ等からなる画面に、文字、画像等を表示する画面表示部５ａと、キー等から構成され、ユーザにより入力操作が行われる入力操作部５ｂと、ユーザに対して音声出力を行うスピーカ等の音声出力部５ｃと、通信、制御処理等を行う通信制御部５ｄと、を有している。なお、画面表示部５ａは、当該画面上の表示が直接的に指示されて、入力操作が行われるタッチパネル式により構成されていてもよい。また、通信制御部５ｄは、ＲＯＭ、ＳＲＡＭ等の記憶部と、記憶部に予め格納されたソフトウェアプログラムを実行させるＣＰＵ等から構成されている。
【００３１】
通信制御部５ｄはデータ通信アンテナ５ｅを介して、ＴＤＭＡ（Ｔｉｍｅ  Ｄｉｖｉｓｉｏｎ  Ｍｕｌｔｉｐｌｅ  Ａｃｃｅｓｓ）方式、ＣＤＭＡ（Ｃｏｄｅ  Ｄｉｖｉｓｉｏｎ  Ｍｕｌｔｉｐｌｅ  Ａｃｃｅｓｓ）方式等の、デジタル通信方式を用いて、他の通信端末等と無線通信接続を行う。なお、上述した画面表示部５ａ、入力操作部５ｂ、音声出力部５ｃ及び通信制御部５ｄは通信バス等により相互に接続されている。
【００３２】
携帯情報端末５は、当該携帯情報端末５に対応する車両の電話番号及び当該携帯情報端末５の電子メールアドレスや電話番号を含む識別情報、情報センタ７の電話番号等を記憶部に格納している。また、携帯情報端末５は通信ネットワークを介して、情報センタ７と無線通信を行うことが可能となっている。さらに、携帯情報端末５は、自己の情報を通信ネットワークを介して情報センタ７へ送信する機能、及び、情報センタ７から通信ネットワークを介して送信される情報を受信する機能を有している。
【００３３】
また、例えば携帯情報端末３の画面表示部５ａにより表示されたメニュー画面上（ｗｅｂ画面上）において、点灯又は点滅するカーソル（ポインタ）が入力操作部５ｂによる指示操作により移動され、メニュー画面上の任意の項目がクリック等の選択操作が行われることで、携帯情報端末５はユーザが希望する操作を認識する。
【００３４】
携帯情報端末５において、マイク等の集音部により収集されたユーザの音声が、音声認識部により音声認識され、この音声認識に対応するコマンドが自動的に実行されて、上述および後述する携帯情報端末５に対する各操作が実行されてもよい。
【００３５】
携帯情報端末５のＲＯＭには、ｗｅｂブラウザが格納され、このｗｅｂブラウザがＣＰＵによって実行されて、情報センタ７の提供する情報、例えば車両機器のリモート操作を要求するためのｗｅｂ画面が取得され、画面表示部５ａに表示される。なお、このｗｅｂブラウザは、ＨＴＴＰプロトコルによるファイル転送を行ない、ＨＴＭＬで記述されたハイパーテキストを解読し、画面表示部５ａに表示出力させる。
【００３６】
携帯情報端末５は、入力操作部５ｂへの入力操作に基づいて、通信ネットワークを介して外部のｗｅｂサーバに蓄積されたファイルやデータを取得し、また入力操作部５ｂに入力された内容をｗｅｂサーバに送信可能である。
【００３７】
情報センタ７は、高速演算可能なホストコンピュータ７ａと、情報センタ７を利用する車両の正規使用者の識別情報や携帯情報端末５の電子メールアドレス、電話番号及び車両（遠隔操作装置３）の識別情報や電話番号等の顧客情報を格納する大容量のデータベース７ｂと、を備えている。情報センタ７は、ＲＯＭ等の記憶部に予め格納されたソフトウェアプログラムに従って動作する。
【００３８】
また、情報センタ７は、通信ネットワークを通じて遠隔操作装置３及び携帯情報端末５と無線通信を行うことが可能となっている。さらに、情報センタ７は自己の情報を通信ネットワークを介して遠隔操作装置３及び携帯情報端末５へ送信する機能、並びに、遠隔操作装置３及び携帯情報端末５から通信ネットワークを介して送信される情報を受信する機能を有している。情報センタ７は、各種車両機器のリモート操作を要求するためのｗｅｂ画面を携帯情報端末５に対して提供可能である。
【００３９】
以下、本実施例の遠隔操作システム１の動作について説明する。なお、この遠隔操作システム１において、遠隔操作装置３、携帯情報端末５、及び情報センタ７は夫々、以下に示す機能を実現するためのプログラムをＲＯＭ等に有し、そのプログラムに従って動作する。これらのプログラムは、ＣＤやＤＶＤ，ハードディスクなどのコンピュータ読み取り可能な記録媒体に記録されることが可能である。
【００４０】
本実施例の遠隔操作システム１において、ユーザは、車両から離れた位置で、自発的にターンシグナルランプを点滅若しくは消灯させる場合（カーファインダ機能の実行）に、盗難防止や操作忘れ対処等のため車両ドアをロック若しくはアンロックさせる場合等の車両機器のリモート操作を実行する場合に、携帯情報端末５の入力操作部５ｂを操作してｗｅｂブラウザを起動させる。情報センタ７は、携帯情報端末５の操作によって遠隔的に車両機器を駆動させるのに必要なリモート操作を要求する為のフォーマット（以下、リモート操作要求画面と称す）を格納している。
【００４１】
携帯情報端末５は、ｗｅｂブラウザを起動した状態でユーザによる操作が入力操作部５ａを介して行われると、その操作に応じて、情報センタ７及び通信ネットワークを介して無線通信接続を行い、情報センタ７の有するリモート操作を要求するためのｗｅｂ画面を提供するように情報センタ７に要求する。
【００４２】
情報センタ７は、携帯情報端末５からの要求を受けると、遠隔操作装置３に通信接続を行い、例えば、ウィンドウの開閉の状態、ドアのロック／アンロック状態等の現時点の車両状態情報を取得する。その後、情報センタ７は現時点の車両状態情報が付加されたリモート操作要求画面（ｗｅｂ画面）を携帯情報端末５に提供する。
【００４３】
このリモート操作要求画面の提供を受けた携帯情報端末５の画面表示部５ａには、図２（ａ）に示す如く、現時点の車両状態情報１０１が付加されたリモート操作要求画面１００を表示する。このとき、ユーザはリモート操作要求画面１００上の現時点の車両状態情報１０１を容易に確認でき、車両機器への操作指示を確実かつ簡易に行うことが可能となる。
【００４４】
なお、リモート操作要求画面１００は、携帯情報端末５のＲＯＭに予め格納されていてもよい。この場合、ユーザによる入力操作が入力操作部５ｂを介して行われると、情報センタ７に対して通信接続を行うこと無く、画面表示部５ａにリモート操作要求画面１００が表示される。また、上述した現時点の車両状態情報１０１は、リモート操作要求画面１００上の操作項目に対して、入力操作部５ｂを介して指示操作がなされたときに、携帯情報端末５が、情報センタ７から取得するように構成されていてもよい。
【００４５】
画面表示部５ａに表示されたリモート操作要求画面１１０には、図２（ｂ）に示す如く、携帯情報端末５の操作によって遠隔制御することが可能な、例えば、上述したようなウィンドウの開／閉、車両ドアのロック／アンロック、ハザードランプ点灯／消灯等の、操作項目１１１が設けられていてもよい。この操作項目１１１には、当該操作項目毎にチェックボックス１１２が設けられている。ユーザは希望する操作項目１１１に対応するチェックボックス１１２に対し、リモート操作要求画面１１０上において、入力操作部５ｂを介してチェックを行う。なお、チェックボックス１１２のチェック方法としては、例えばリモート操作要求画面１１０上において、カーソルを移動させ、チェックボックス１１２上でクリックなされることにより、携帯情報端末５は、リモート操作要求画面１１０上のチェックボックス１１２に対するチェックの有無を認識し、何れの車両機器のリモート操作がユーザによって希望されているか否かを判別する。携帯情報端末５は、ユーザによる操作によって上記何れかのチェックボックス１１２にチェックが入った状態で送信要求がなされると、そのチェックに対応する車両機器のリモート操作が要求されていることを情報センタ７に通知すべくリモート操作要求指示を情報センタ７に対して送信する。
【００４６】
ところで、例えば車両のウィンドウが開状態で、かつ車両のドアがアンロック状態（開）にある場合、ユーザはウィンドウを閉とする操作項目及びドアをロックする操作項目を実行させることが予め想定できる。このように、ユーザにより実行される操作項目の組合せが予め想定される場合、当該組合せた操作項目をユーザによる単一の操作だけで一括実行できれば、従来のように各操作項目が夫々個別に実行させる場合と比較して、ユーザの操作負担は大幅に軽減され、利便性が向上する。
【００４７】
そこで、本実施例に係る携帯情報端末５のリモート操作要求画面１００、１１０において、所定の組合せの操作項目を一括で実行できる一括実行操作項目１０２が設定されている。すなわち、画面表示部５ａに表示されるリモート操作要求画面１００、１１０上において、アイコン等の図形、文字等で構成される一括実行操作項目（例えば、「安心セット」として表示）１０２が、ユーザによって入力操作部５ｂを介して指示操作されることより、所定の組合せの操作項目が一括で実行される。
【００４８】
なお、所定の組合せの操作項目のうち不適切状態項目を除いた操作項目が実際に実行される。ここで、不適切状態項目とは、例えば、ウィンドウを閉とする操作項目、ドアをロックする操作項目、およびスライドルーフを閉める操作項目が所定の組合せの操作項目としたとき、既にスライドルーフが閉状態にある場合がある。この場合、当該スライドルーフを閉める操作項目は、既に実行する必要がないことから、不適切状態項目に該当し、実行されない。
【００４９】
また、リモート操作要求画面１００、１１０において、一括実行操作項目１０２が常時表示されていてもよく、所定の組合せの操作項目から不適切状態項目を除いた項目数が２以上（但し、ハザードランプを消灯させる操作項目は除く）となる場合のみ、一括実行操作項目１０２が表示されてもよい。
【００５０】
上述したようにウィンドウを閉める操作項目と、ドアをロックする操作項目と、スライドルーフを閉とする操作項目と、を所定の組合せの操作項目（この場合、一括実行操作項目１０２を「安心セット」とする）としている。また、ウィンドウを閉める操作項目と、空調装置を自動温度設定（又はユーザが携帯情報端末５によって設定した温度）とする操作項目と、を所定の組合せの操作項目（この場合、一括実行操作項目１０２を「快適セット」とする）としてもよい。さらに、エンジンを始動させる操作項目と、ウィンドウを閉める操作項目と、空調装置を自動温度設定（又はユーザが携帯情報端末５によって設定した温度）とする操作項目と、を所定の組合せの操作項目（この場合、一括実行操作項目１０２を「暖気セット」とする）としてもよい。これら所定の組合せの操作項目がテーブル、マップ等を用いて、予め情報センタ７のデータベース７ｂに格納されている。
【００５１】
また、情報センタ７のデータベース７ｂに格納された所定の組合せの操作項目は、ユーザによる携帯情報端末５を介した指示操作により、自由に新規設定／変更可能なように構成されている。さらに、所定の組合せの操作項目は、リモート操作要求画面１００、１１０と共に携帯情報端末５のＲＯＭに予め格納されていてもよい。
【００５２】
次に、リモート操作要求画面１００、１１０において、一括実行操作項目１０２が実行されたときの処理フローについて説明する。図３は、一括実行操作項目１０２が実行されたときの処理フローを示すフローチャートである。
【００５３】
例えば、図２（ａ）に示す如く、画面表示部５ａのリモート操作要求画面１００、１１０上に設定された一括実行操作項目１０２が、入力操作部５ｂを介して指示操作され、送信項目１０３が指示操作されると（以下、ステップ１をＳ１と称す）、通信制御部５ｄは情報センタ７と通信接続を行う。さらに、通信制御部５ｄはこの一括実行操作項目１０２によって実行される所定の組合せの操作項目を、情報センタ７のデータベース７ｂから取得し、画面表示部５ａに表示させる。これにより、ユーザは一括実行操作によって実行される所定の組合せの操作項目を再確認することが可能となり、誤操作の防止に繋がる。
【００５４】
このとき、情報センタ７は車両の遠隔操作装置３に接続を行い、遠隔操作装置３のマスタＥＣＵ３ｂからの情報に基づいて、車両のハザードランプが点灯状態（点灯状態には、点滅状態も含むものとする）にあるか否かを判断する（Ｓ２）。
【００５５】
情報センタ７は車両のハザードランプが点灯状態にあると判断したときは、図４（ａ）に示す如く、上述した所定の組合せの操作項目１２１と共に、当該一括実行操作によってバザードランプの消灯が行われない旨、例えば「安心セットではハザードは消さないこと」等の文字、図、アニメーション１２２を表示したリモート操作要求画面１２０を携帯情報端末５の通信制御部５ｄに送信する。携帯情報端末５の通信制御部５ｄは、受信した上述した所定の組合せの操作項目１２１、及び一括実行操作によってバザードランプの消灯が行われない旨１２２等を表示したリモート操作要求画面１２０を画面表示部５ａに表示させる（Ｓ３）。
【００５６】
なお、車両停止状態において、ハザードランプを意図的に点灯／点滅させていることがある。この為、上述した一括実行操作によってハザードランプが消灯されると、当該操作がユーザの意図に反することがある。したがって、上述した所定の組合せの操作項目１２１は、予めハザードランプの消灯操作が含まれないように構成され、ユーザの意図に反する操作実行が抑止されている。また、このように所定の組合せの操作項目１２１にハザードランプの消灯操作を含まれないように構成したことで、ユーザの誤解による誤操作を防止すべく、上述の如く、一括実行操作によってバザードランプの消灯は行われない旨１２２を表示し、注意喚起を行っている。
【００５７】
また、ユーザによりハザードランプが意図的に消灯可能なように、画面表示部５ａのリモート操作要求画面１２０には、所定の組合せの操作項目１２１、及び一括実行操作によってバザードランプの消灯が行われない旨１２２の表示と共に、ハザードランプを消灯させる個別項目操作１０４等、例えば、「上記操作項目に加えハザードランプも消灯する」と、設定されてもよく、ハザードランプを消灯させる操作項目が個別で設定されていてもよい。ユーザは、このハザードランプを消灯させる個別項目操作１０４等を入力操作部５ｂを介して、指示操作することにより、ハザードランプを意図的に消灯させることができる。
【００５８】
一方、情報センタ７は車両のハザードランプが消灯状態にあると判断したときは、当該判断に基づいて、図４（ｂ）に示す如く、所定の組合せの操作項目１２１のみを表示したリモート操作要求画面１３０を携帯情報端末５の通信制御部５ｄに送信する。携帯情報端末５の通信制御部５ｄは、受信した上述した所定の組合せの操作項目１２１のみのリモート操作要求画面１３０を画面表示部５ａに表示させる（Ｓ４）。
【００５９】
次に、ユーザによってリモート操作要求画面１２０、１３０の送信項目１０３が入力操作部５ｂを介して操作指示されると、リモート操作要求指示が情報センタ７に送信される（Ｓ５）。
【００６０】
情報センタ７は携帯情報端末５に対応する車両の遠隔操作装置３と通信ネットワークを介して無線通信接続を行う。さらに、情報センタ７は携帯情報端末５の操作によって特定の車両機器のリモート操作が要求されていることを示すリモート操作要求指示を遠隔操作装置３に対して送信する。
【００６１】
遠隔操作装置３のＤＣＭ３ａは、情報センタ７から送信されるリモート操作要求指示を通信ネットワーク、及びデータ通信アンテナ３ｃを介して受信し、マスタＥＣＵ３ｂはリモート操作が要求されている車両機器のリモート操作を実施すべく、その車両機器を駆動するスレーブＥＣＵ３ｄに対して、その車両機器をリモート操作すべきことを要求する信号（動作指示）を送信する。
【００６２】
スレーブＥＣＵ３ｄは、マスタＥＣＵ３ｂからの動作指示を受信すると、対応する車両機器のリモート操作を実行するための処理を行う。例えば、スレーブＥＣＵ３ｄは、マスタＥＣＵ３ｂからのドアロックについての動作指示信号を受信すると、全ての車両ドアをアンロック状態からロック状態へ切り替えるための作動を行う。
【００６３】
以上、本実施例に係る携帯情報端末５のリモート操作要求画面１００、１１０において、ユーザにより操作が実行されると予測できる所定の組合せの操作項目１２１を、一括で実行できる一括実行操作項目１０２が設定されている。ユーザはこの一括実行操作項目１０２を指示操作することのみで、複数の車両機器の遠隔操作を簡易に実行させることが可能となる。したがって、ユーザの操作負担が大幅に軽減されることから、利便性が向上する。
【００６４】
また、本実施例に係る携帯情報端末５において、所定の組合せの操作項目１２１には、予めハザードランプを消灯させる操作項目が含まれないように構成されている。さらに、車両のハザードランプが点灯状態にあると判断されたとき、上述した所定の組合せの操作項目１２１と共に、当該一括実行操作によってバザードランプの消灯は行われない旨１２２を表示したリモート操作要求画面１２０が携帯情報端末５の通信制御部５ｄに送信され、画面表示部５ａに表示させる。これにより、ユーザに意図に反して、ハザードランプが消灯されるのを防止でき、同時に予めハザードランプが消灯されないことが確実にユーザに認識され操作上の誤解が解消される。
【００６５】
なお、本実施例の遠隔操作システム１においては、ユーザが携帯情報端末５を操作して携帯情報端末５から情報センタ７を介して遠隔操作装置３へリモート操作要求がなされることにより、車両に搭載された車両機器がリモート操作される。このため、ユーザは、車両に搭乗していなくても車両から離れた場所において携帯情報端末５の操作により車両機器を駆動させることが可能である。これにより、車両機器を所望の状態へ遠隔的に移行させることが可能となっている。
【００６６】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００６７】
例えば、上記一実施例において、リモート操作要求画面１１０において、所定の組合せの操作項目１１１および対応するチェックボックス１１２と、一括実行操作項目（例えば、安心セット）１０２とを別画面で夫々を表示させてもよく、図２（ｂ）に示す如く、同一画面で同時に表示させるようにしてもよい。この場合、ユーザは一括実行操作項目１０２を選択指示することのみで、図５（ａ）に示す如く、自動的に所定の組合せの操作項目に対応するチェックボックス１１２ａに対して、チェックが入力される（但し、ハザードランプを消灯させる操作項目１１２ｂは除く）ように構成されていてもよい。その後、リモート操作要求画面１４０の送信項目１０３が指示操作され、携帯情報端末５から情報センタ７へ当該リモート操作要求画面１４０が送信される。さらに、情報センタ７から携帯情報端末５に、図５（ｂ）に示す如く、操作内容を確認する操作確認画面１５０が返信されることで、誤操作の防止を図るようにしてもよい。
【００６８】
上記一実施例において、携帯情報端末５のリモート操作要求画面１００、１１０において、例えばウィンドウ、スライドルーフ等を閉める操作をキャンセルする指示操作（個別項目操作１０４等により指示操作）がなされたとき、画面表示部５ａは環境情報検出手段９により検出された車両周辺の天候情報等の環境情報に基づいて、注意喚起の画面を表示させてもよい。具体的には、画面上に「車両周辺に雨が降っています」等の注意喚起を行う情報を提供してもよい。なお、環境情報検出手段９は、車両のボンネットに配設された荷重センサからの荷重情報、カメラにより撮影された車両周辺の画像情報、他車両との間の車車間通信又は路上に配設された通信機との間の路車間通信により取得した、例えば他車両のワイパ装置の駆動情報等、に基づいて、降雨、降雪、外気、風速等の天候情報を検出する。環境情報検出手段９により検出された天候情報は、車両の遠隔操作装置３を介して、情報センタ７に送信される。情報センタ７は、例えばウィンドウ、スライドルーフ等を閉める操作をキャンセルする操作指示がなされ、さらに、車両周辺の天候が雨、雪等であると判断したとき、リモート操作要求画面１００、１１０上に「車両周辺に雨が降っています」等の注意喚起を付加して携帯情報端末５に送信する。これにより、ユーザは天候情報を考慮して、車両の遠隔操作を行うことが可能となる。
【００６９】
上記一実施例において、上述したバザードランプの消灯は行われない旨１２２等の操作上の注意喚起を行う注意表示は、現時点の車両状態情報１０１と共にリモート操作要求画面１００に表示してもよい。これにより、ユーザは車両状態情報を確認するときから、当該注意事項を踏まえた操作が可能となる。この場合、一括実行操作後の再確認１２２を省略してもよい。
【００７０】
また、上述したバザードランプの消灯は行われない旨１２２等の操作上の注意喚起を行う注意表示は、各操作項目の状態を変更（例えば、ハザードランプを消灯操作から点灯操作に変更）した際に携帯情報端末５の画面表示部５ａに表示するようにしてもよい。これにより、ユーザは変更に伴う注意事項を集中的に確認することが可能となる。この場合、一括実行操作後の再確認１２２を省略してもよい。
【００７１】
さらに、上述したバザードランプの消灯は行われない旨１２２等の操作上の注意喚起を行う注意表示は、上述した一括実行操作の実行後、携帯情報端末５の画面表示部５ａに表示するようにしてもよい。これにより、実際の操作時のリモート操作要求画面の情報量を低減することが可能となり、情報センタ７との間の通信速度が向上する。
【産業上の利用可能性】
【００７２】
本発明は、携帯情報端末によって、車両機器を遠隔的に操作できる遠隔操作システムに利用できる。
【図面の簡単な説明】
【００７３】
【図１】本発明の一実施例である遠隔操作システムの構成図である。
【図２】（ａ）現時点の車両状態情報が付加されたリモート操作要求画面の一例を示す図である。（ｂ）操作項目及びチェックボックスが表示されたリモート操作要求画面の一例を示す図である。
【図３】一括実行操作項目が実行されたときの処理フローを示すフローチャートの一例である。
【図４】（ａ）所定の組合せの操作項目と共に、一括実行操作によってバザードランプの消灯が行われない旨を表示したリモート操作要求画面の一例を示す図である。（ｂ）所定の組合せの操作項目のみを表示したリモート操作要求画面の一例を示す図である。
【図５】（ａ）自動的に所定の組合せの操作項目に対応するチェックボックスに対して、チェックが入力されたリモート操作要求画面の一例を示す図である。（ｂ）操作内容を確認する画面の一例を示す図である。
【符号の説明】
【００７４】
１    遠隔操作システム
３    遠隔操作装置
５    携帯情報端末
７    情報センタ
９    環境情報検出手段
【図１】
2006352375.tif 000003
【図２】
2006352375.tif 000004
【図３】
2006352375.tif 000005
【図４】
2006352375.tif 000006
【図５】
2006352375.tif 000007